(57)【特許請求の範囲】
【請求項１】
釣り針（４）に強化チモト（６）を結び、該チモト（６）又は該チモト（６）と針素（２）との間に係止体（７）を設け、前記針素（２）の他端を摺動係止体（８）に固定し、該摺動係止体（８）に道糸（９）を摺動自在に挿通し、該道糸（９）の先端を補強杆（１）の後部に固定し、且つ、飛ばし手段（５）を前記道糸（９）と前記補強杆（１）との間に設け、魚の所定力以上の引きで前記飛ばし手段（５）を作動させ、前記補強杆（１）の前部の係止部（１０）を経て道糸（９）に伝達し、以て前記針素（２）を該補強杆（１）でブリッジして補強するように構成した自動針素補強具において、
前記補強杆（１）を弾性体で構成し、該補強杆（１）に少なくとも１本の弾性補助杆（３）を、その後端部を前記補強杆（１）の後端部に固定して設け、弾性変形した初期設定時には前記補強杆（１）に沿う状態で、作動時には復元して正面視で横向きのＶ字型とし、その先端に環体（３Ａ）を設け、この中を前記道糸（９）及び針素（２）が通過できるようにし、以て、前記弾性補助杆（３）の復元の弾性変形に伴って前記道糸（９）及び針素（２）にテンションを付与できるように構成し、
前記飛ばし手段（５）が作動した時に魚が針素（２）を引っ張る力が前記弾性補助杆（３）又は前記補強杆（１）の少なくとも一方を弾性変形させることで前記補強杆（１）による針素（２）のブリッジが完成されるように構成した、自動針素補強具。
【発明の詳細な説明】
【０００１】
【発明の属する分野】
本発明は、魚を釣る時に用いる自動針素補強具の改良に関する。
【０００２】
【従来の技術】
本発明者は、魚を釣る時に用いる自動針素補強具として、その基本技術を、特許第１４７２２０１号及び実用新案登録第１９０１９５５号において提案している。
【０００３】
本発明にかかる自動針素補強具の従来技術の説明として、上記実用新案登録第１９０１９５５号を参考として、図８〜図１０に基づいて説明すると、その自動針素補強具は、釣り針４に強化チモト６を結び、該チモト６又は該チモト６と針素２との間に係止体７を設け、前記針素２の他端を摺動係止体８に固定し、該摺動係止体８に道糸９を摺動自在に挿通し、該道糸９の先端を補強杆１の後部に固定し、且つ、飛ばし手段５を前記道糸９と前記補強杆１との間に設け、魚の所定力以上の引きで前記飛ばし手段５を作動させ、前記補強杆１の前部の係止部１０を経て道糸９に伝達し、以て前記針素２を該補強杆１でブリッジして補強するように構成されている。尚、図中、部材番号５Ａ、５Ｂ、１３、１５は、本件発明の実施例の部材と対応するので、その説明は引用することとして省略する。
【０００４】
【発明が解決しようとする課題】
上記自動針素補強具によって、細い針素を用いことが出来ることによって喰いを向上させ、魚釣り効果を高めることが出来るに至ったが次の問題を残していた。
即ち、上記自動針素補強具の構成では、前記飛ばし手段５を作動させ、前記補強杆１の前部の係止部１０を経て道糸９に伝達し、以て前記針素２を該補強杆１でブリッジして補強する際、実際には、図１０に示す係止体７と補強杆１の前部の係止部１０との係合は、魚の引きによる針素２の伸びによって達成される。
【０００５】
従って、前記係止体７は、予め予定した長さ分（２〜３ｃｍ）だけ針素２側に近く位置させて設けるが（現実にはチモト６を長くすることになる）、針素２の頻繁な伸びによる劣化等で弾性が低下すると確実な係止状態が得られず、ブリッジ作用が完成されずに、針素２が切れてしまうことがある。  同時に、長いチモト６を使用したくないという者の要望に反するし、また、微妙な係止体７の位置設定が難しくなるということも意味する。
また、最近に開発されてきた金属製等の伸びは殆ど無いが細くて強力で釣り効果の高い針素を使用したいという要望もある。
【０００６】
本発明は、かかる従来技術のもつ問題点を解決し、自動針素補強具における係止体の位置設定を容易にし、また、針素を長短自在に設定することのが出来得るようにすると共に針素に伸びの無い素材も利用できるようにすることを目的とする。
【０００７】
【課題を解決するための手段】
本発明にかかる自動針素補強具は、上記目的を達成するために、釣り針４に強化チモト６を結び、該チモト６又は該チモト６と針素２との間に係止体７を設け、前記針素２の他端を摺動係止体８に固定し、該摺動係止体８に道糸９を摺動自在に挿通し、該道糸９の先端を補強杆１の後部に固定し、且つ、飛ばし手段５を前記道糸９と前記補強杆１との間に設け、魚の所定力以上の引きで前記飛ばし手段５を作動させ、前記補強杆１の前部の係止部１０を経て道糸９に伝達し、以て前記針素２を該補強杆１でブリッジして補強するように構成した自動針素補強具において、前記補強杆１を弾性体で構成し、該補強杆１に少なくとも１本の弾性補助杆３を、その後端部を前記補強杆１の後端部に固定して設け、弾性変形した初期設定時には前記補強杆１に沿う状態で、作動時には復元して正面視で横向きのＶ字型とし、その先端に環体３Ａを設け、この中を前記道糸９及び針素２が通過できるようにし、以て、前記弾性補助杆３の復元の弾性変形に伴って前記道糸９及び針素２にテンションを付与できるように構成し、前記飛ばし手段５が作動した時に魚が針素２を引っ張る力が前記弾性補助杆３又は前記補強杆１の少なくとも一方を弾性変形させることで前記補強杆１による針素２のブリッジが完成されるように構成した、という手段を講じた。
【０００８】
本発明において、前記補強杆１は、ステンレススチールのロッドを用い、その弾性を利用しているが、ピアノ線でも、合成樹脂製の棒材でも、ファイバーグラスでも、適宜の弾性を有する素材で構成して良い。このことは、前記弾性補助杆３についても言える。また、前記道糸９及び針素を前記弾性補助杆３に係合できる状態に構成として、実施例では、前記弾性補助杆３の先端に環体３Ａを設け、ここに前記道糸９及び針素を通るようにしているのが発明として好ましいが、環体３Ａでなく、フックの構造でもガイド溝構造でも筒状体でも適宜の構造を用いても実施可能であろう。
【０００９】
【実施の態様】
本発明によれば、前記補強杆１を弾性体で構成し、該補強杆１に少なくとも１本の弾性補助杆３を設け、前記道糸９及び針素２を前記弾性補助杆３に係合できる状態に構成し、前記飛ばし手段５が作動した時に魚が針素２を引っ張る力が前記弾性補助杆３又は前記補強杆１の少なくとも一方を弾性変形させることで前記補強杆１による針素２のブリッジが完成されるように構成したので、係止体７と補強杆１の係合部１０との最終係合を、針素２の伸びに頼ることなく、弾性補助杆３の撓み変形によって達成することができる。
【００１０】
その結果、針素２の伸び率変動による誤作動（係合不可）が生じず、常に確実な係合状態が得られる。  従って、係止体７の位置の初期設定に際しても、弾性補助杆３が復元した初期位置における係止体７と補強杆１の係合部１０との距離を適宜（２〜３ｃｍ）に定めておけば、常に、その距離でもって最終作動が行われることになり、係止体７の位置決めが容易となると共に作動の確実性が得られる。
このことは、更に、針素２の頻繁な伸縮を不要とし、針素２の弾性劣化が少なくなり、長期に亘って、魚の急激な引き等に際して針素２が切れることなく充分に弾性を発揮させることができることを意味する。  また、針素２の伸び代を必要としないので、前記補強杆１の長さ（針素２の長さ）を、釣り人の希望により長くしたり、短くしたりすることが自由に出来る。  このことは、同時に、チモト６についても、これを長くしたり、短くしたりするとが可能となることを意味し、チモトの長さにこだわる釣り人の希望に沿えることにもなる。
逆に、針素の伸びを利用しないところから、伸びのない素材の針素、金属性のテグス、伸びの少ない素材のテグス等を利用することが可能である。
【００１１】
【実施例】
本発明にかかる自動針素補強具の好適実施例について、図１乃至図３に基づいて以下詳細に説明する。
【００１２】
本実施例における自動針素補強具の基本構成は、釣り針４に強化チモト６を結び、該チモト６又は該チモト６と針素２との間に係止体７を設け、前記針素２の他端を摺動係止体８に固定し、該摺動係止体８に道糸９を摺動自在に挿通し、該道糸９の先端を補強杆１の後部に固定し、且つ、飛ばし手段５を前記道糸９と前記補強杆１との間に設け、魚の所定力以上の引きで前記飛ばし手段５を作動させ、前記補強杆１の前部の係止部１０を経て道糸９に伝達し、以て前記針素２を該補強杆１でブリッジして補強するようになっている。
【００１３】
そして、その特徴とする構成は、前記補強杆１を弾性体で構成し、該補強杆１に１本の弾性補助杆３を設け、前記道糸９及び針素２を前記弾性補助杆３に係合できる状態に構成し、前記飛ばし手段５が作動した時に魚が針素２を引っ張る力が前記弾性補助杆３又は前記補強杆１の少なくとも一方を弾性変形させることで前記補強杆１による針素２のブリッジが完成されるように構成しているところである。
【００１４】
この実施例では、上記強化チモト６は、ケプラート（商標名）を用いており、その係止体７は、このケプラートの結び目（団子）をもって構成している。
また、補強杆１及び弾性補助杆３は共にステンレススチールの細いロッドを用いている。  そして、上記摺動係止体８としては、小孔のある小さなビーズを用いており、これに針素２（チモト６との結びの反対端）を結んで固定し、且つ、道糸９を摺動移動可能に挿通してあって、これを通過した道糸９の先端部が前記補強杆１の後部に固定される。  また、道糸９には、位置決めリング１５（リング構造でなくてもよい）が設けられており、上記補強杆１の後部から前方に伸びる道糸９の長さを決定する。  この位置決めリング１５は、補強杆１の後部に設けられた後部係止環１３によって、道糸９の所定長さ以上の前方への移動を阻止される。
【００１５】
前記道糸９及び針素２を前記弾性補助杆３に係合できる状態に構成する構造としては、前記弾性補助杆３の後端部を前記補強杆１の後端部に固定し、図１に示す如く、初期設定状態（魚が釣れる前）では弾性変形して前記補強杆１に沿う状態であるが、図２、図３に示す如く、作動状態（魚が釣れたとき）では、正面視で横向きのＶ字型とした状態であり、その先端に環体３Ａを設け、ここの中を前記道糸９及び針素２が通過できるようにし、以て、前記弾性補助杆３の弾性変位（前記補強杆１に対する接近、離間）に伴って前記道糸９及び針素２にテンションを付与できるようにされている。
【００１６】
また、上記飛ばし手段５は、ここでは、クリップ機能のある弾性保持具５Ａ（例えば、自動針素止め）を道糸９に設け、他方、前記補強杆１の後部係止環１３に針素２よりも弱いテグス５Ｂを固定しておいて、これを前記弾性保持具５Ａのクリップ機能で保持し、一定以上の引っ張り力が作用するとテグス５Ｂから外れる構成となっている（テグス５Ｂが切れる場合もある）。  しかし、この飛ばし手段５は、単なる針素２よりも弱いテグス５Ｂの結びや、その他の公知の飛ばし手段を利用して良い。
【００１７】
この実施例では、上記弾性補助杆３の復元に際して弾性を充分に発揮できるようにするために、この弾性補助杆３に初期付勢力を付与することを考え、該弾性補助杆３を少し撓ませた状態で前記補強杆１に結びにつける制限紐１１を設けてある。  これにより、前記飛ばし手段５が作動して弾性補助杆３が原位置へ復帰するときに大きな弾性力で復帰することができ、迅速、スムース、且つ確実な係止体７と補強杆１の係合部１０との係合が得られる。
【００１８】
また、この実施例では、前記弾性補助杆３が前記道糸９にテンションを与えているので、前記道糸９（前記摺動係止体８でＵターンして二重線となっている）が弾性補助杆３の環体３Ａを通過するときの抵抗が大きく、スムースに通過でき難いことに鑑み、環状体１２を設けた。  この環状体１２には、前記道糸９の先端が通され、この道糸９の先端が前記補強杆１の後部に結び付け、固定される（上述のように摺動係止体８も通している）。  この環状体１２は、前記弾性補助杆３を撓ませた状態で該弾性補助杆３と補強杆１とに亘って後方から嵌められる。
従って、上記飛ばし手段５が作動して、前記道糸９が弾性補助杆３の環体３Ａを移動して（後退）くると、前記摺動係止体８でＵターンしている道糸９（二重線）が、その摺動係止体８が補強杆１の後端部に接近すると、この環状体１２に引っ掛かり、これを弾性補助杆３と補強杆１から外すことになる。  これによって、前記摺動係止体８でＵターンしている道糸９（二重線）が弾性補助杆３の環体３Ａをスムースに通過させた後に、前記弾性補助杆３がその復元力を発揮して原位置へ復帰しようとする作用が生まれる。  即ち、係止体７と補強杆１の係合部１０の最終係合への作動行程に移行するのである。
【００１９】
しかし、上述した制限紐１１及び環状体１２の存在にもかかわらず、魚による引きと竿による引っ張りとの引き合いによって、前記弾性補助杆３が僅かに撓んだ状態が現出する事態が発生する結果、最終段階における係止体７と補強杆１の係合部１０との係合が得られないことがあり、このための打開策が必要である。この為に、この実施例では、更に、作動補償用飛ばし手段１４を、道糸９と位置決めリング１５との間に設けてある。  ここでは、前記針素２よりも弱いテグス１４Ｂを位置決めリング１５に結び、そこに上記クリップ機能のある弾性保持具５Ａ（例えば、自動針素止め）と同様の弾性保持具１４Ａを道糸９に設け、以て、前記位置決めリング１５の直後に弛みを持たせることで構成している。
【００２０】
即ち、環状体１２が外れた後に、魚の引きと竿の引っ張りによる引き合いで、弾性補助杆３が撓み、結果として係止体７と補強杆１の係合部１０と係合が得られない状態が現出した時に、この作動補償用飛ばし手段１４にその引っ張り力が作用して、前記テグス１４Ｂが外れ、或いは切れて飛ばし機能を発揮させる。この作動補償用飛ばし手段１４が機能すると、前記位置決めリング１５とこの作動補償用飛ばし手段１４との間の弛み代が開放され、前記弾性補助杆３の復元力を抑制する力も開放されて、前記補強杆１を後退させ、その結果、前記係止体７と補強杆１の係合部１０と係合が得られるのである。  つまり、この係合状態を補償する機能を発揮することになる。
【００２１】
次に、本発明の別の実施例について、図４乃至図６図に基づき説明する。
ここでは、細い針素２を長くすることが、魚の喰いを良くするとの経験則から、長い針素２を好む者の要望を充たすための対処案を備えている。
即ち、この実施例では、前記弾性補助杆３の中程に別の環体３Ｂを設け、また、補強杆１にもその中程に環体３Ｃを設け、針素２及び道糸９を先ず、弾性補助杆３の環体３Ｂに通し、次いで補強杆１の環体３Ｃに通し、その後に弾性補助杆３の環体３Ａに通してから補強杆１の係止部１０を通過させるというように使用される。
【００２２】
これによって、図６における最終段階の係止体７と補強杆１の係合部１０との係合時に、そのジグザクによる距離を稼げるようにしておく。  その結果、図４に示す初期設定では、補強杆１から伸びる針素２の長さを非常に長く構成することができて、釣り針４を補強杆１から遠ざけることで魚の警戒心を解き、依り一層魚の喰いを良くすることが期待出来る。
【００２３】
この実施例の図５は、最終段階の手前の行程を示し、この状態から魚の引きで弾性補助杆３を撓ませ、前記係止体７と補強杆１の係合部１０との係合が得られることになる。
尚、上記弾性補助杆３の環体３Ｂと補強杆１の環体３Ｃの数を適宜に増やし、更にジグザクを増して、針素２の長さを更に長くすることも出来る。
この実施例における各部材の番号及びその名称、作用については、先の実施例と同じであるので、重複説明を避けるために、ここでの詳細説明を省く。
【００２４】
また、図７は、同じ目的で、針素２を長く確保するべく、上記弾性補助杆３を２本に構成した別の態様を示す。
即ち、この弾性補助杆３を、第一弾性補助杆３と第二弾性補助杆３’として、所定の間隔を隔てて補強杆１に設け、夫々に環体３Ａを設ける。  そして、前記第二弾性補助杆３’の後部側の補強杆１に、環体Ｃを設け、針素２及び道糸９は、第一弾性補助杆３の環体３Ａを経て、補強杆１の環体Ｃを通り、次いで、第二弾性補助杆３’の環体３Ａを通って補強杆１の係合部１０を通過するように実施される。  その結果、やはり針素２のジグザクが得られ、針素２を長いものとすることが可能である。
【００２５】
この実施例における各部材の番号及びその名称、作用については、最初の実施例及び上記別実施例と同じであるので、重複説明を避けるために、ここでの詳細説明を省く。
尚、上記弾性補助杆３の数と補強杆１の環体３Ｃの数を適宜に増やし、更にジグザクを増して、針素２の長さを更に長くすることも出来る。
この実施例における各部材の番号及びその名称、作用については、先の実施例と同じであるので、重複説明を避けるために、ここでの詳細説明を省く。
【００２６】
【発明の効果】
本発明によれば、簡単な構造によって、自動針素補強具の作動に際して、針素の伸びを利用しないので針素に負担を掛けることが無くなり、且つ、針素の伸び代を考慮する必要がないので補強具全体の長さ（針素の長さ）を殆ど自在に設定（コンパクト化を含む）できるという優れた効果を奏するに至ったものである。しかも、針素を補強杆でブリッジするために行う初期位置決め（係止体の位置）を、針素の伸び代を考慮することなく決定できるので、魚の喰いによる最終のブリッジ状態を予定し、現実の針素の長さを考慮してその位置決めを行えば済み、極めて容易に係止体の位置決めを行うことができる利点がある。
逆に、針素の伸びを利用しないところから、伸びのない素材の針素、金属性のテグス、伸びの少ない素材のテグスを利用することも可能である。
その他の利点については、上記発明の実施の態様の項及び実施例の項において詳述した通りである。
【図面の簡単な説明】
【図１】本発明にかかる自動針素補強具の全体を示す初期設定時を示す斜視図である。
【図２】本発明にかかる自動針素補強具の全体を示す一作動状態を示す斜視図である。
【図３】本発明にかかる自動針素補強具の全体を示す一作動状態を示す斜視図である。
【図４】本発明にかかる自動針素補強具の別の実施例の初期設定時を示す全体の斜視図である。
【図５】本発明にかかる自動針素補強具の別の実施例の一作動状態を示す全体の斜視図である。
【図６】本発明にかかる自動針素補強具の別の実施例の一作動状態を示す全体の斜視図である。
【図７】本発明にかかる自動針素補強具の別の態様の全体の斜視図である。
【図８】従来技術にかかる自動針素補強具の全体を示す初期設定時を示す斜視図である。
【図９】従来技術にかかる自動針素補強具の全体を示す一作動状態を示す斜視図である。
【図１０】従来技術にかかる自動針素補強具の全体を示す一作動状態を示す斜視図である。
【符号の説明】
１  補強杆
２  針素
３  弾性補助杆
４  釣り針
５  飛ばし手段
６  強化チモト
７  係止体
８  摺動係止体
９  道糸
１０  孫止部
【図１】
0004474661.tif 000002
【図２】
0004474661.tif 000003
【図３】
0004474661.tif 000004
【図４】
0004474661.tif 000005
【図５】
0004474661.tif 000006
【図６】
0004474661.tif 000007
【図７】
0004474661.tif 000008
【図８】
0004474661.tif 000009
【図９】
0004474661.tif 000010
【図１０】
0004474661.tif 000011